(57)【要約】      （修正有）【課題】フォーカス方向への移動に伴なうタンジェンシャル方向の力の発生を防止して、ホルダの固有な共振が励起されることを防止。【解決手段】光ディスクのフォーカス方向に異種の二極を有する磁石と、光ディスクの信号記録面に対向する対物レンズと、対物レンズがフォーカス方向を移動するように対物レンズを保持し、磁石に対して光ディスクのタンジェンシャル方向に配置されるホルダと、ホルダがフォーカス方向を移動するように、磁石とホルダの間に配置される、タンジェンシャル方向を巻回軸とする第１フォーカスコイルと、ホルダがフォーカス方向を移動したときの、第１フォーカスコイルに発生するタンジェンシャル方向の力が小さくなるように、磁石とホルダの間で第１フォーカスコイルの隣に配置される、タンジェンシャル方向を巻回軸とする第２フォーカスコイルとを備えた光ピックアップ装置。【選択図】図２
2010135021.tif 000002
【特許請求の範囲】
【請求項１】
光ディスクのフォーカス方向に異種の二極を有する磁石と、
前記光ディスクの信号記録面に対向する対物レンズと、
前記対物レンズが前記フォーカス方向を移動するように前記対物レンズを保持し、前記磁石に対して前記光ディスクのタンジェンシャル方向に配置されるホルダと、
前記ホルダが前記フォーカス方向を移動するように、前記磁石と前記ホルダの間に配置される、前記タンジェンシャル方向を巻回軸とする第１フォーカスコイルと、
前記ホルダが前記フォーカス方向を移動したときの、前記第１フォーカスコイルに発生する前記タンジェンシャル方向の力が小さくなるように、前記磁石と前記ホルダの間で前記第１フォーカスコイルの隣に配置される、前記タンジェンシャル方向を巻回軸とする第２フォーカスコイルと、
を備えたことを特徴とする光ピックアップ装置。
【請求項２】
前記第２フォーカスコイルは、前記ホルダと前記第１フォーカスコイルの間に配置される、ことを特徴とする請求項１に記載の光ピックアップ装置。
【請求項３】
前記第１及び第２フォーカスコイルは夫々、前記ホルダが前記フォーカス方向の中立位置に存在するときの、前記タンジェンシャル方向の力が相殺されるように配置される、ことを特徴とする請求項１又は２に記載の光ピックアップ装置。
【請求項４】
前記第１及び第２フォーカスコイルは夫々、前記ホルダが前記フォーカス方向の中立位置に存在するとき、前記フォーカス方向において前記磁石の二極の境を中心に対称となる位置に存在する、ことを特徴とする請求項３に記載の光ピックアップ装置。
【請求項５】
前記第２フォーカスコイルは、１個のコイルである、ことを特徴とする請求項１乃至４の何れかに記載の光ピックアップ装置。
【請求項６】
前記第２フォーカスコイルは、前記フォーカス方向に配置される２個のコイルである、ことを特徴とする請求項１乃至４の何れかに記載の光ピックアップ装置。
【請求項７】
前記２個のコイルは、同一のコイルである、ことを特徴とする請求項６に記載の光ピックアップ装置。
【請求項８】
前記第１及び第２フォーカスコイルは、前記光ディスクのトラッキング方向に二組配置される、ことを特徴とする請求項１乃至７の何れかに記載の光ピックアップ装置。
【請求項９】
前記ホルダは、前記対物レンズを保持する保持板と、前記保持板の前記タンジェンシャル方向の両端から前記フォーカス方向へ延在する延在板と、を有する、ことを特徴とする請求項１乃至８の何れかに記載の光ピックアップ装置。
【請求項１０】
光ディスクのフォーカス方向に異種の二極を有し、前記光ディスクのタンジェンシャル方向に配置される第１及び第２磁石と、
前記光ディスクの信号記録面に対向する対物レンズと、
前記対物レンズが前記フォーカス方向を移動するように前記対物レンズを保持し、前記第１及び第２磁石の間に配置されるホルダと、
前記ホルダが前記フォーカス方向を移動するように、前記第１磁石及び前記ホルダの間と前記第２磁石及び前記ホルダの間に夫々配置される、前記タンジェンシャル方向を巻回軸とする第１及び第２フォーカスコイルと、
前記ホルダが前記フォーカス方向を移動したときの、前記第１及び第２フォーカスコイルに夫々発生する前記タンジェンシャル方向の力が小さくなるように、前記第１磁石及び前記ホルダの間と前記第２磁石及び前記ホルダの間で前記第１及び第２フォーカスコイルの隣に夫々配置される、前記タンジェンシャル方向を巻回軸とする第３及び第４フォーカスコイルと、
を備えたことを特徴とする光ピックアップ装置。
【請求項１１】
前記第１及び第３フォーカスコイルと前記第２及び第４フォーカスコイルは夫々、前記光ディスクのトラッキング方向に二組配置される、ことを特徴とする請求項１０に記載の光ピックアップ装置。
【発明の詳細な説明】
【技術分野】
【０００１】
本発明は、光ピックアップ装置に関する。
【背景技術】
【０００２】
情報の記録又は再生用のレーザ光を集光するための対物レンズを光ディスクのフォーカス方向に移動させて、この光ディスクの信号記録面に対し対物レンズからのレーザ光を合焦させる光ピックアップ装置が知られている。
【０００３】
対物レンズをフォーカス方向に移動させるべく、この光ピックアップ装置は、例えば、フォーカス方向に異種の二極を有する磁石と、この磁石により形成される磁場の下で駆動力を発生させるためのフォーカスコイルとを備えている（例えば、特許文献１参照）。
【０００４】
一例として、図６を参照しつつ、一対の磁石９５ａ、９５ｂと、対物レンズ９３と、この対物レンズ９３をレンズ面が光ディスク（不図示）の信号記録面と対向するように保持するホルダ９２と、フォーカスコイル９６１ａ、９６１ｂ、９６３ａ、９６３ｂとを備えた光ピックアップ装置９について説明する。尚、図６（ａ）は、光ピックアップ装置９の平面図である。図６（ｂ）は、図６（ａ）に示す光ピックアップ装置９を光ディスクのトラッキング方向に見た側面図である。
【０００５】
図６（ａ）に示されるように、一対の磁石９５ａ、９５ｂは、光ディスクのタンジェンシャル方向に互いに離間するように配置されており、この一対の磁石９５ａ、９５ｂの間にホルダ９２が配置されている。また、図６（ｂ）に示されるように、ホルダ９２のタンジェンシャル方向の両側面には一対のフォーカスコイル９６１ａ、９６１ｂが取り付けられており、同コイル９６１ａ、９６１ｂは、一対の磁石９５ａ、９５ｂのタンジェンシャル方向±側に対称な磁極面と夫々対向している。更に、図６（ａ）に示されるように、一対の磁石９５ａ、９５ｂの夫々の磁極面は、トラッキング方向にも異種の二極を呈するように形成されており、これに応じて、ホルダ９２のタンジェンシャル方向の両側面においても、フォーカスコイル９６１ａとトラッキング方向に対をなすようにフォーカスコイル９６３ａが取り付けられているとともに、フォーカスコイル９６１ｂとトラッキング方向に対をなすようにフォーカスコイル９６３ｂが取り付けられている。また更に、図６（ｂ）に示されるように、フォーカスコイル９６１ａ、９６１ｂは、フォーカス方向において、ホルダ９２が中立位置にあるとき、各巻回軸の位置と、対応する各磁石９５ａ、９５ｂにおける二極の境（境界線ａ−ａ’）の位置とが一致するように配置されており、これはフォーカスコイル９６３ａ、９６３ｂと磁石９５ａ、９５ｂとの配置関係においても同様である。尚、この中立位置とは、４個のフォーカスコイルに電流を供給していないときのホルダ９２のフォーカス方向の位置である。
【０００６】
以上の構成により、ホルダ９２が中立位置にある状態で４個のフォーカスコイルに電流が供給された場合、フォーカスコイル９６１ａ、９６１ｂ、９６３ａ、９６３ｂ夫々におけるフォーカス方向両端部でタンジェンシャル方向に発生する力どうしが相殺されるため、ホルダ９２にはフォーカス方向のみの力（駆動力）が発生するようになっている。
【特許文献１】特開２００６−２４２６６号公報
【発明の開示】
【発明が解決しようとする課題】
【０００７】
しかしながら、前述した光ピックアップ装置９では、ホルダ９２を例えば前述した中立位置からフォーカス方向に変位した位置に保持するために４個のフォーカスコイルに電流を供給しているとき、以下に述べる理由によって、前述したタンジェンシャル方向に発生する力どうしが相殺されずに残存する（図７参照）。尚、図７において、（ａ）は、中立位置からフォーカス方向＋側（フォーカス方向軸において矢印の向く側）に変位した位置にあるホルダ９２に発生する力を説明するための光ピックアップ装置９の側面図であり、（ｂ）は、中立位置からフォーカス方向−側（フォーカス方向軸において矢印の向く側と反対側）に変位した位置にあるホルダ９２に発生する力を説明するための光ピックアップ装置９の側面図である。
【０００８】
図７（ａ）に示されるように、ホルダ９２が中立位置からフォーカス方向＋側（光ディスク９００に近づく方向）に変位した位置にある状態で４個のフォーカスコイルに電流Ｉａが供給されている場合、例えば図中の白抜きの矢印で示すタンジェンシャル方向の力がホルダ９２に発生してしまう。つまり、フォーカスコイル９６１ｂについて、フォーカス方向＋側の端部に発生する力ｆ１と、フォーカス方向−側（光ディスク９００から遠ざかる方向）の端部に発生する力ｆ２とでは、夫々のタンジェンシャル方向成分の力ｆ１ｔ、ｆ２ｔの大きさが異なる。同様に、フォーカスコイル９６１ａについて、フォーカス方向＋側の端部に発生する力ｆ３（力ｆ１と大きさが等しい）と、フォーカス方向−側の端部に発生する力ｆ４（力ｆ２と大きさが等しい）とでは、夫々のタンジェンシャル方向成分の力ｆ３ｔ、ｆ４ｔの大きさが異なる。尚、フォーカスコイル９６３ａ、９６３ｂ（図６参照）に夫々発生する力についても以上と同様である。
【０００９】
よって、ホルダ９２をフォーカス方向＋側に移動させる際に、同ホルダ９２に対して、フォーカス方向成分の力ｆ１ｆ、ｆ２ｆ、ｆ３ｆ、ｆ４ｆの合力の他に、タンジェンシャル方向成分の力ｆ１ｔと力ｆ２ｔとの差分及び力ｆ３ｔと力ｆ４ｔとの差分（白抜き矢印）が発生してしまうことになる。
【００１０】
図７（ｂ）に示されるように、ホルダ９２が中立位置からフォーカス方向−側に変位した位置にある状態で４個のフォーカスコイルに電流Ｉａと反対向きの電流Ｉａ’が供給された場合についても同様であって、例えば図中の白抜きの矢印で示すタンジェンシャル方向の力がホルダ９２に発生してしまう。つまり、フォーカスコイル９６１ａ、９６１ｂのフォーカス方向の両端部に発生する力ｆ１’、ｆ２’、ｆ３’、ｆ４’において、夫々のタンジェンシャル方向成分の力ｆ１ｔ’、ｆ２ｔ’、ｆ３ｔ’、ｆ４ｔ’どうしは相殺されない。
【００１１】
よって、ホルダ９２をフォーカス方向−側に移動させる際に、同ホルダ９２に対して、フォーカス方向成分の力ｆ１ｆ’、ｆ２ｆ’、ｆ３ｆ’、ｆ４ｆ’の合力の他に、タンジェンシャル方向成分の力（白抜き矢印）が発生してしまうことになる。尚、以上は、フォーカスコイル９６３ａ、９６３ｂ（図６参照）に夫々発生する力についても同様である。
【００１２】
以上より、ホルダ９２では、フォーカス方向の移動に伴ってタンジェンシャル方向の力が発生する。このようなタンジェンシャル方向の力によって、ホルダ９２ではその形状や材質等に固有な共振が励起されるため、これが光ピックアップ装置９の記録再生特性の劣化を招く虞があった。
【課題を解決するための手段】
【００１３】
前述した課題を解決する主たる発明は、光ディスクのフォーカス方向に異種の二極を有する磁石と、前記光ディスクの信号記録面に対向する対物レンズと、前記対物レンズが前記フォーカス方向を移動するように前記対物レンズを保持し、前記磁石に対して前記光ディスクのタンジェンシャル方向に配置されるホルダと、前記ホルダが前記フォーカス方向を移動するように、前記磁石と前記ホルダの間に配置される、前記タンジェンシャル方向を巻回軸とする第１フォーカスコイルと、前記ホルダが前記フォーカス方向を移動したときの、前記第１フォーカスコイルに発生する前記タンジェンシャル方向の力が小さくなるように、前記磁石と前記ホルダの間で前記第１フォーカスコイルの隣に配置される、前記タンジェンシャル方向を巻回軸とする第２フォーカスコイルとを備えた光ピックアップ装置である。
【００１４】
本発明の他の特徴については、添付図面及び本明細書の記載により明らかとなる。
【発明の効果】
【００１５】
本発明によれば、光ピックアップ装置のホルダが光ディスクのフォーカス方向を移動するとき、同ホルダに対し同ディスクのタンジェンシャル方向の力が発生し難くなる。
【発明を実施するための最良の形態】
【００１６】
本明細書及び添付図面の記載により、少なくとも以下の事項が明らかとなる。
【００１７】
===光ピックアップ装置の構成（第１実施形態）===
以下、図１、図２（ａ）、図２（ｂ）、図２（ｃ）、及び図２（ｄ）を参照しつつ、本実施形態に係る光ピックアップ装置１の構成例について説明する。
【００１８】
図１は、本実施形態に係る光ピックアップ装置１及び光ディスク１００の斜視図である。尚、図１では、説明の便宜上、光ピックアップ装置１の光ディスク１００に対する寸法の比率が実際よりも大きく例示されている。図２（ａ）は、図１に示す光ピックアップ装置１の可動部１０及び磁石５ａ、５ｂの平面図である。図２（ｂ）は、図２（ａ）に示す可動部１０を同図に示すＡ−Ａ’の矢印方向に見た側面図である。図２（ｃ）は、図２（ａ）に示す可動部１０及び磁石５ａを光ディスク１００のタンジェンシャル方向に見た側面図である。図２（ｄ）は、図２（ａ）に示す可動部１０及び磁石５ａ、５ｂを光ディスク１００のトラッキング方向に見た側面図である。尚、後述するコイル部６ａ、６ｂについては、図１においてその位置のみを図示し（点線で囲んだ部分）、図２においてその具体的な構成を図示している。尚、図２のフォーカス方向、トラッキング方向、タンジェンシャル方向を夫々示す方向軸において、矢印の向く側を「＋側」と称し、この矢印の向く側と反対側を「−側」と称する。また、これは、本明細書における以後の全ての図においても同様である。
【００１９】
光ピックアップ装置１は、ＣＤ（Compact Disc）、ＤＶＤ（Digital Versatile Disc）、ＢＤ（Blu-ray Disc（登録商標））等の光ディスク１００の信号記録面に対して情報の記録又は再生用のレーザ光を集光するための対物レンズ３ａ、３ｂを移動させるべく、一対の磁石５ａ、５ｂと、可動部１０とを備えている。また、光ピックアップ装置１は、基台７と、固定板８と、一対の背面ヨーク４ａ、４ｂとを更に備えている。
【００２０】
基台７は、板形状をなす金属製の台であり、その上面（フォーカス方向＋側の面）が光ディスク１００の信号記録面と平行となるように配置される。また、この上面には、背面ヨーク４ａ、４ｂ及び固定板８が立設されている。更に、基台７における背面ヨーク４ａと背面ヨーク４ｂとの間には、可動部１０の形状に応じた開口７１が形成されている。尚、開口７１のフォーカス方向−側には、光ピックアップ装置１が備える不図示のレーザ光源及び光検出部が配置されている。このレーザ光源から出射されるレーザ光は開口７１を通り、対物レンズ３ａ、３ｂを介して光ディスク１００へ照射されるようになっている。また、このレーザ光が光ディスク１００によって反射された反射光は、対物レンズ３ａ、３ｂを経た後に開口７１を通り、光検出部に検出されるようになっている。
【００２１】
背面ヨーク４ａ、４ｂの互いに向かい合う面には、夫々磁石５ａ、５ｂが固定されている。尚、背面ヨーク４ａ、４ｂは、夫々、磁石５ａ、５ｂを支持するとともに、同磁石５ａ、５ｂの磁場の漏れを防いで効果的に磁力を得るためのものである。
【００２２】
固定板８は、基台７のタンジェンシャル方向＋側の端に立設されて、可動部１０を磁石５ａ、５ｂの間に支持するための後述するサスペンションワイヤ２２の一端を固定している。
【００２３】
<<<磁石>>>
磁石５ａは、磁石５１ａ、５２ａ、５３ａ、５４ａからなり、これら４個の磁石は、可動部１０のタンジェンシャル方向−側と対向するように背面ヨーク４ａに固定されている。同様に、磁石５ｂは、磁石５１ｂ、５２ｂ、５３ｂ、５４ｂからなり、これら４個の磁石は、可動部１０のタンジェンシャル方向＋側と対向するように背面ヨーク４ｂに固定されている。尚、磁石５１ａ乃至５４ａ及び磁石５１ｂ乃至５４ｂは、夫々タンジェンシャル方向に分極して可動部１０に対して単極の磁極面を呈する直方形状の永久磁石である。
【００２４】
ここで、図２（ｃ）を参照しつつ、背面ヨーク４ａのタンジェンシャル方向＋側面上の磁石５１ａ乃至５４ａの配置の詳細について説明する。
【００２５】
フォーカス方向に対をなす磁石５１ａ、５２ａと、フォーカス方向に対をなす磁石５３ａ、５４ａとは、トラッキング方向の中央線Ｂ−Ｂ’に関して線対称となるように配置されている。ここで、磁石５１ａ及び磁石５２ａは、フォーカス方向に沿って夫々＋側及び−側に配置されるとともに、夫々のタンジェンシャル方向＋側の磁極面の極性が異なるように配置されている（即ち、磁石５１ａ、５２ａは、フォーカス方向に異種の二極を有している）。また、磁石５３ａ及び磁石５４ａは、フォーカス方向に沿って夫々＋側及び−側に配置されるとともに、夫々のタンジェンシャル方向＋側の磁極面の極性が異なるように配置されている（即ち、磁石５３ａ、５４ａは、フォーカス方向に異種の二極を有している）。更に、磁石５１ａ及び磁石５３ａは、トラッキング方向に隣接するとともに夫々のタンジェンシャル方向＋側の磁極面の極性が異なるように配置されている一方、磁石５２ａ及び磁石５４ａは、トラッキング方向に、後述する第２ストッパ２３ａが通るための間隙をもって配置されている。
【００２６】
背面ヨーク４ｂのタンジェンシャル方向−側面上の磁石５１ｂ乃至５４ｂは、夫々、可動部１０のタンジェンシャル方向の中央線Ｃ−Ｃ’に関して磁石５１ａ乃至５４ａと対称になるように配置されている。つまり、背面ヨーク４ｂのフォーカス方向＋側には、磁石５１ｂ及び磁石５３ｂがトラッキング方向に隣接するように配置され、背面ヨーク４ｂのフォーカス方向−側には、磁石５２ｂ及び磁石５４ｂがトラッキング方向に後述する第２ストッパ２３ｂが通るための間隙をもって配置されている。
【００２７】
そして、磁石５１ａ乃至５４ａのタンジェンシャル方向＋側の各々の磁極面と、磁石５１ｂ乃至５４ｂのタンジェンシャル方向−側の各々の磁極面とは、夫々同じ極性を呈するように配置されている。  
尚、磁石５１ｂ乃至５４ｂは、夫々、磁石５１ａ乃至５４ａと有効磁束が実質的に同等になるようにした上で、サスペンションワイヤ２２と干渉しないように磁石５１ａ乃至５４ａより幅が狭くなっている。
【００２８】
可動部１０は、対物レンズ３ａ、３ｂを保持してフォーカス方向又はトラッキング方向に可動に構成されている。この可動部１０は、対物レンズ３ａ、３ｂと、ホルダ２と、コイル部６ａ、６ｂとを有する。また、この可動部１０は、更に、一対の第１ストッパ２１と、一対の第２ストッパ２３ａ、２３ｂと、サスペンションワイヤ２２と、端子２４とを有する。
【００２９】
<<<対物レンズ、ホルダ>>>
ホルダ２は、例えば矩形状をなす保持板２５と、同保持板２５のタンジェンシャル方向−側からフォーカス方向−側に延在するように設けられた矩形状の延在板２６ａと、同保持板２５のタンジェンシャル方向＋側からフォーカス方向−側に延在するように設けられた矩形状の延在板２６ｂが例えば樹脂で一体に構成された部材である。保持板２５には、対物レンズ３ａ、３ｂを保持するための孔がトラッキング方向に並列に形成されている。尚、対物レンズ３ａは、例えば光ディスク１００がＣＤやＤＶＤ等である場合、これに対応した合焦位置にレーザ光を集光するためのレンズであり、対物レンズ３ｂは、例えば光ディスク１００がＢＤである場合、これに対応した合焦位置にレーザ光を集光するためのレンズである。
【００３０】
<<<コイル>>>
コイル部６ａは、図２に例示されるように、フォーカスコイル６１ａ、６２ａ、６３ａ、６４ａと、トラッキングコイル６５ａとからなり、これらのコイルは、タンジェンシャル方向を巻回軸として、延在板２６ａのタンジェンシャル方向−側面に取り付けられている。同様に、コイル部６ｂは、フォーカスコイル６１ｂ、６２ｂ、６３ｂ、６４ｂと、トラッキングコイル６５ｂとからなり、これらのコイルは、タンジェンシャル方向を巻回軸として、延在板２６ｂのタンジェンシャル方向＋側面に取り付けられている。
【００３１】
尚、磁石５ａが形成する磁場の下でフォーカスコイル６１ａ乃至６４ａに電流を供給することによって、ホルダ２をフォーカス方向に移動させるための駆動力が発生する。同様に、磁石５ｂが形成する磁場の下でフォーカスコイル６１ｂ乃至６４ｂに電流を供給することによって、ホルダ２をフォーカス方向に移動させるための駆動力が発生する。以上、各コイル６１ａ乃至６４ａ、６１ｂ乃至６４ｂに発生する駆動力の合力によって、これらのコイルが取り付けられたホルダ２がフォーカス方向に移動する。  
また、磁石５ａ、５ｂ夫々が形成する磁場の下でトラッキングコイル６５ａ、６５ｂに電流を供給することによって、ホルダ２をトラッキング方向に移動させるための駆動力が発生する。
【００３２】
ここで、図２（ａ）及び図２（ｂ）を参照しつつ、コイル部６ａを構成する、フォーカスコイル６１ａ乃至６４ａと、トラッキングコイル６５ａとの配置の詳細について説明する。
【００３３】
フォーカスコイル６１ａ、６２ａは、磁石５１ａ、５２ａに対応するフォーカスコイルであり、延在板２６ａにおけるトラッキング方向−側に配置されている一方、フォーカスコイル６３ａ、６４ａは、磁石５３ａ、５４ａに対応するフォーカスコイルであり、延在板２６ａにおけるトラッキング方向＋側に配置されている。尚、フォーカスコイル６１ａ、６２ａと、フォーカスコイル６３ａ、６４ａとは、トラッキング方向の中央線Ｂ−Ｂ’に関して線対称となるように配置されている。
【００３４】
２つのコイル６１ａ、６２ａは、フォーカスコイル６１ａがタンジェンシャル方向−側となり、フォーカスコイル６２ａがタンジェンシャル方向＋側となり、双方のコイル６１ａ、６２ａの前述した巻回軸のフォーカス方向の位置が一致するように配置されている。図２（ｂ）の例示では、フォーカスコイル６２ａは、その外形が略矩形状をなし、その長手方向がトラッキング方向となるように延在板２６ａに取り付けられている一方、フォーカスコイル６１ａは、その外形が略矩形状をなし、その長手方向がフォーカス方向となるように且つフォーカスコイル６２ａに隣接するように延在板２６ａに取り付けられている。
【００３５】
また、２つのコイル６３ａ、６４ａは、フォーカスコイル６３ａがタンジェンシャル方向−側となり、フォーカスコイル６４ａがタンジェンシャル方向＋側となり、双方のコイル６３ａ、６４ａの前述した巻回軸のフォーカス方向の位置が一致するように配置されている。  
トラッキングコイル６５ａは、前述した巻回軸の位置が中央線Ｂ−Ｂ’上になるように延在板２６ａに配置されている。
【００３６】
一方、コイル部６ｂを構成するフォーカスコイル６１ｂ乃至６４ｂ及びトラッキングコイル６５ｂは、夫々、フォーカスコイル６１ａ乃至６４ａ及びトラッキングコイル６５ａに対して、中央線Ｃ−Ｃ’に関して線対称となるように配置されている。本実施形態では、中央線Ｃ−Ｃ’に関して対称な関係にあるコイルの部材番号を、例えば６１ａ及び６１ｂのように、同一の数字をもって表記している。従って、フォーカスコイル６１ｂ乃至６４ｂ及びトラッキングコイル６５ｂの配置に係る記載は、前述したフォーカスコイル６１ａ乃至６４ａ及びトラッキングコイル６５ａの配置に係る記載をもって省略する。
【００３７】
尚、フォーカスコイル６１ａ乃至６４ａ及びフォーカスコイル６１ｂ乃至６４ｂに電流が供給されていない場合のホルダ２のフォーカス方向の位置を中立位置とする。この中立位置におけるフォーカスコイル６１ａ乃至６４ａ及びフォーカスコイル６１ｂ乃至６４ｂは、磁石５ａ、５ｂのフォーカス方向における二極の境（境界線Ｄ−Ｄ’）を中心に対称になる位置に配置されている。つまり、中立位置におけるフォーカスコイル６１ａ乃至６４ａ及びフォーカスコイル６１ｂ乃至６４ｂの各巻回軸のフォーカス方向の位置は、境界線Ｄ−Ｄ’上にあるように配置されている。
【００３８】
端子２４は、延在板２６ｂのタンジェンシャル方向＋側面におけるトラッキング方向両側の端部に例えば複数ずつ設けられている。この端子２４には、一端が固定板８に固定されたサスペンションワイヤ２２の他端が固定されている。尚、サスペンションワイヤ２２は、端子２４を経由して各コイル部６ａ、６ｂに電気的に接続されている。よって、フォーカス制御又はトラッキング制御の場合、固定板８に設けられた基板８ａから、サスペンションワイヤ２２を経て、コイル部６ａ、６ｂに電流が供給されるようになっている。
【００３９】
第１ストッパ２１は、延在板２６ａのタンジェンシャル方向−側面のトラッキング方向両側の端部に形成されている一対の突片であり、ホルダ２のトラッキング方向の移動量を制限する。
【００４０】
第２ストッパ２３ａは、延在板２６ａのタンジェンシャル方向−側面における、フォーカス方向−側の端部に形成されている突片である。また、前述した磁石５２ａと磁石５４ａの間隙において、第２ストッパ２３ａは、磁石５１ａ及び磁石５３ａの下面に対向している。同様に、第２ストッパ２３ｂは、延在板２６ｂのタンジェンシャル方向＋側面における、フォーカス方向−側の端部に形成されている突片である。また、前述した磁石５２ｂと磁石５４ｂの間隙において、第２ストッパ２３ｂは、磁石５１ｂ及び磁石５３ｂの下面に対向している。つまり、ホルダ２のフォーカス方向＋側への移動量は、第２ストッパ２３ａ、２３ｂによって制限される。
【００４１】
===光ピックアップ装置の動作（第１実施形態）===
図３Ａ、図３Ｂ、及び図３Ｃを参照しつつ、本実施形態に係る光ピックアップ装置１の動作例について説明する。
【００４２】
図３Ａにおいて、（ａ）は、ホルダ２が前述した中立位置から光ディスク１００に近づく方向（フォーカス方向＋側）に移動する場合に、ホルダ２に発生する力を説明するための光ピックアップ装置１の側面図であり、（ｂ）は（ａ）の部分拡大図である。  
図３Ｂにおいて、（ａ）は、中立位置からフォーカス方向＋側に変位した位置にあるホルダ２に発生する力を説明するための光ピックアップ装置１の側面図であり、（ｂ）は（ａ）の部分拡大図である。  
図３Ｃにおいて、（ａ）は、中立位置から光ディスク１００から遠ざかる方向（フォーカス方向−側）に変位した位置にあるホルダ２に発生する力を説明するための光ピックアップ装置１の側面図であり、（ｂ）は（ａ）の部分拡大図である。
【００４３】
尚、図３Ａ、図３Ｂ、及び図３Ｃに図示しないフォーカスコイル６３ａ、６４ａには、夫々、これらとトラッキング方向に対をなすフォーカスコイル６１ａ、６２ａと同様に動作し、同図に図示しないフォーカスコイル６３ｂ、６４ｂは、夫々、これらとトラッキング方向に対をなすフォーカスコイル６１ｂ、６２ｂと同様に動作する。従って、フォーカスコイル６３ａ、６４ａ、６３ｂ、６４ｂの動作に係る記載は省略する。
【００４４】
<<<中立位置>>>
図３Ａに例示されるように、中立位置にあるホルダ２をフォーカス方向＋側に移動させるべく、フォーカスコイル６１ａ、６１ｂに対し互いに反対向きの電流Ｉａを供給するとともに、フォーカスコイル６２ａに対し、これと隣接するフォーカスコイル６１ａに流れる電流Ｉａとは反対向きの電流Ｉｂを供給し、フォーカスコイル６２ｂに対し、これと隣接するフォーカスコイル６１ｂに流れる電流Ｉａとは反対向きの電流Ｉｂを供給する。
【００４５】
先ず、フォーカスコイル６１ｂ、６２ｂについて述べる。  
電流Ｉａが流れるフォーカスコイル６１ｂのフォーカス方向＋側の端部及び−側の端部には、磁石５１ｂ、５２ｂにより形成される磁場Ｂ（図３Ａ（ｂ）参照）の下で、夫々、力Ｆ１、Ｆ２が発生する。同様に、電流Ｉｂが流れるフォーカスコイル６２ｂのフォーカス方向＋側の端部及び−側の端部には、磁場Ｂの下で、夫々、力Ｆ３、Ｆ４が発生する。  
ここで、磁場Ｂの方向は、例えば、図３Ａ（ｂ）において磁石５１ｂのＮ極の磁極面を起点とし磁石５２ｂのＳ極の磁極面を終点とする半弧状の矢印で模式的に示した通りである。尚、この半弧は、境界線Ｄ−Ｄ’を中心に線対称となっている。
【００４６】
このため、図３Ａ（ｂ）に例示されるように、境界線Ｄ−Ｄ’を中心に線対象な作用点での力Ｆ１、Ｆ２夫々のタンジェンシャル方向成分の力Ｆ１ｔ、Ｆ２ｔは、互いに反対向きで大きさが等しいため、互いに相殺する。つまり、図３Ａ（ａ）に例示されるように、力Ｆ１、Ｆ２夫々のフォーカス方向成分の力Ｆ１ｆ、Ｆ２ｆの合力ｆａｆのみがフォーカスコイル６１ｂに発生する。
【００４７】
同様に、図３Ａ（ｂ）に例示されるように、境界線Ｄ−Ｄ’を中心に線対象な作用点での力Ｆ３、Ｆ４夫々のタンジェンシャル方向成分の力Ｆ３ｔ、Ｆ４ｔは、互いに反対向きで大きさが等しいため、互いに相殺する。つまり、図３Ａ（ａ）に例示されるように、力Ｆ３、Ｆ４夫々のフォーカス方向成分の力Ｆ３ｆ、Ｆ４ｆの合力ｆｂｆのみがフォーカスコイル６２ｂに発生する。
【００４８】
次に、フォーカスコイル６１ａ、６２ａについても、前述と同様に、夫々タンジェンシャル方向成分がゼロである力ｆｃｆ、ｆｄｆが発生する（図３Ａ（ａ）参照）。  
電流Ｉａ、Ｉｂの大小関係を、力ｆａｆ、ｆｃｆが力ｆｂｆ、ｆｄｆよりも大きくなるように設定することによって、力ｆａｆ、ｆｃｆ、ｆｂｆ、ｆｄｆの合力は、ホルダ２をフォーカス方向＋側に移動させる駆動力Ｆｆ（図３Ａ（ａ）中央の太い矢印）となる。
【００４９】
<<<フォーカス方向＋側に変位した位置>>>
図３Ｂに例示されるように、中立位置からフォーカス方向＋側に変位した位置にあるホルダ２に対して発生している力について、先ず、フォーカスコイル６１ｂ、６２ｂを例に挙げて説明する。尚、この位置では、前述した電流Ｉａ、Ｉｂの供給によってホルダ２をフォーカス方向＋側に移動させるように発生する駆動力Ｆｆ’（図３Ｂ（ａ）中央の太い矢印）と、同ホルダ２を中立位置に保持するように発生するサスペンションワイヤ２２の張力のフォーカス方向の成分（不図示）とが釣り合っている。
【００５０】
電流Ｉａが流れるフォーカスコイル６１ｂのフォーカス方向＋側及び−側の端部には、前述した磁場Ｂ（図３Ｂ（ｂ）参照）の下で、夫々、力Ｆ１’、Ｆ２’が発生する。図３Ｂ（ｂ）に例示されるように、力Ｆ１’の作用点（磁場Ｂを示す半弧とフォーカスコイル６１ｂのフォーカス方向＋側の端部とが交差する点）と、力Ｆ２’の作用点（磁場Ｂを示す半弧とフォーカスコイル６１ｂのフォーカス方向−側の端部とが交差する点）とは互いに境界線Ｄ−Ｄ’を中心として線対称にならないため、以下の理由から、夫々のタンジェンシャル方向成分の力Ｆ１ｔ’、Ｆ２ｔ’の合力はゼロにならない。
【００５１】
即ち、一般に、力Ｆ１’、Ｆ２’は、磁場Ｂ及び電流Ｉａのいずれの方向とも直交する方向に発生する。よって、磁場Ｂの形状により、力Ｆ１ｔ’は、力Ｆ１’の作用点が境界線Ｄ−Ｄ’から遠ざかるほど、タンジェンシャル方向−側を向きつつその大きさは小さくなる。一方、磁場Ｂの形状により、力Ｆ２ｔ’は、力Ｆ２’の作用点が境界線Ｄ−Ｄ’に近づくほどタンジェンシャル方向＋側を向きつつその大きさは大きくなる。フォーカスコイル６１ｂは、フォーカス方向の両端部が、互いに境界線Ｄ−Ｄ’から等しい位置にある中立位置からフォーカス方向＋側に変位しているため、この変位によって、力Ｆ１’の作用点は境界線Ｄ−Ｄ’から遠ざかる一方、力Ｆ２’の作用点は境界線Ｄ−Ｄ’に近づいている。また、磁場Ｂを示す半弧のうち、力Ｆ１’の作用点が位置している半弧と、力Ｆ２’の作用点が位置している半弧とでは、力Ｆ２’の作用点が位置している半弧の方が磁場Ｂを形成する磁極面に近いため、力Ｆ１’に比べて、力Ｆ２’はより大きい。
【００５２】
以上から、タンジェンシャル方向−側の力Ｆ１ｔ’に比べて、同方向＋側の力Ｆ２ｔ’はより大きい。つまり、図３Ｂ（ａ）に例示されるように、フォーカスコイル６１ｂには、力Ｆ１’、Ｆ２’夫々のフォーカス方向成分の力Ｆ１ｆ’、Ｆ２ｆ’の合力ｆａｆ’の他に、タンジェンシャル方向成分の力Ｆ１ｔ’、Ｆ２ｔ’の合力ｆａｔ’がタンジェンシャル方向＋側に発生する。
【００５３】
一方、電流Ｉｂが流れるフォーカスコイル６２ｂのフォーカス方向＋側及び−側の端部には、磁場Ｂの下で、夫々、力Ｆ３’、Ｆ４’が発生する。図３Ｂ（ｂ）に例示されるように、力Ｆ３’の作用点（磁場Ｂを示す半弧とフォーカスコイル６２ｂのフォーカス方向＋側の端部とが交差する点）と、力Ｆ４’の作用点（磁場Ｂを示す半弧とフォーカスコイル６２ｂのフォーカス方向−側の端部とが交差する点）とは互いに境界線Ｄ−Ｄ’を中心として線対称にならない。よって、前述と同様に、フォーカスコイル６２ｂには、フォーカス方向成分の力ｆｂｆ’の他に、タンジェンシャル方向成分の力ｆｂｔ’が発生する（図３Ｂ（ａ）参照）。
【００５４】
このとき、力Ｆ３’、Ｆ４’の方向は、磁場Ｂ及び電流Ｉａと反対向きの電流Ｉｂ夫々の方向に直行する方向であるため、タンジェンシャル方向の合力ｆｂｔ’（＝Ｆ３ｔ’＋Ｆ４ｔ’）は、力ｆａｔ’と反対方向の−側に発生する。尚、力Ｆ４’は、図３Ｂ（ｂ）の例示では、境界線Ｄ−Ｄ’上に作用点があるため、そのフォーカス方向成分の力はゼロである。よって、力Ｆ３’のタンジェンシャル方向成分の力Ｆ３ｔ’に比べ、力Ｆ４’のタンジェンシャル方向成分の力Ｆ４ｔ’がより大きな力となっている。また、力Ｆ３’のフォーカス方向の力Ｆ３ｆ’が力ｆｂｆ’に等しくなる。
【００５５】
次に、フォーカスコイル６１ａ、６２ａについても、前述と同様に、夫々、フォーカス方向成分の力ｆｃｆ’、ｆｄｆ’の他に、互いに反対向きのタンジェンシャル方向成分の力ｆｃｔ’、ｆｄｔ’が発生する（図３Ｂ（ａ）参照）。
【００５６】
以上から、電流Ｉａ、Ｉｂの大小関係を、力ｆａｔ’、ｆｂｔ’の関係及び力ｆｃｔ’、ｆｄｔ’の関係が、例えば、２｜ｆａｔ’｜＞｜ｆｂｔ’｜及び２｜ｆｃｔ’｜＞｜ｆｄｔ’｜となるように設定すれば、フォーカスコイル６１ａ、６２ａ、６１ｂ、６２ｂに発生するタンジェンシャル方向成分の合力を低減できる。尚、例えば、２｜ｆａｔ’｜＞｜ｆｂｔ’｜は、｜ｆａｔ’｜＞｜ｆｂｔ’｜の場合にはその合力の大きさは元のｆａｔ’よりも小さくなり、２｜ｆａｔ’｜＞｜ｆｂｔ’｜≧｜ｆａｔ’｜の場合にもその合力の大きさは元のｆａｔ’よりも小さくなることを意味する。
【００５７】
或いは、電流Ｉａ、Ｉｂの大小関係を、例えば、図３Ｂ（ａ）に例示されるように、力ｆａｔ’、ｆｂｔ’が互いに等しい大きさとなるように、また力ｆｃｔ’、ｆｄｔ’が互いに等しい大きさとなるように設定すれば、フォーカスコイル６１ｂ、６２ｂ、６１ａ、６２ａに夫々発生するタンジェンシャル方向成分の力ｆａｔ’、ｆｂｔ’、ｆｃｔ’、ｆｄｔ’を互いに相殺できる。
【００５８】
図３Ｂ（ａ）に例示されるように、前述した電流Ｉａ、Ｉｂの大小関係は、前述した関係を満たし且つ力ｆａｆ’、ｆｃｆ’が力ｆｂｆ’、ｆｄｆ’よりも大きくなるようにも設定できるため、ホルダ２には、同ホルダ２をフォーカス方向＋側に移動させる駆動力Ｆｆ’が発生する。
【００５９】
<<<フォーカス方向−側に変位した位置>>>
図３Ｃに例示されるように、中立位置からフォーカス方向−側に変位した位置にあるホルダ２に対して発生している力について、先ず、フォーカスコイル６１ｂ、６２ｂを例に挙げて説明する。尚、この位置では、前述した電流Ｉａ、Ｉｂと夫々反対方向の電流Ｉａ’、Ｉｂ’の供給によってホルダ２をフォーカス方向−側に移動させるように発生する駆動力Ｆｆ”（図３Ｃ（ａ）中央の太い矢印）と、同ホルダ２を中立位置に保持するように発生するサスペンションワイヤ２２の張力のフォーカス方向の成分（不図示）とが釣り合っている。
【００６０】
電流Ｉａ’が流れるフォーカスコイル６１ｂのフォーカス方向＋側及び−側の端部には、前述した磁場Ｂ（図３Ｃ（ｂ）参照）の下で、夫々、力Ｆ１”、Ｆ２”が発生する。図３Ｃ（ｂ）に例示されるように、力Ｆ１”の作用点（磁場Ｂを示す半弧とフォーカスコイル６１ｂのフォーカス方向＋側の端部とが交差する点）は、力Ｆ２”の作用点（磁場Ｂを示す半弧とフォーカスコイル６１ｂのフォーカス方向−側の端部とが交差する点）に比べ、境界線Ｄ−Ｄ’に近づいている。よって、先の図３Ｂの説明で述べた理由と同様の理由から、力Ｆ１”、Ｆ２”夫々のタンジェンシャル方向成分の力Ｆ１ｔ”、Ｆ２ｔ”では、タンジェンシャル方向−側の力Ｆ２ｔ”に比べて、同方向＋側の力Ｆ１ｔ”がより大きい。
【００６１】
つまり、図３Ｃ（ａ）に例示されるように、フォーカスコイル６１ｂには、力Ｆ１”、Ｆ２”夫々のフォーカス方向成分の力Ｆ１ｆ”、Ｆ２ｆ”の合力ｆａｆ”の他に、タンジェンシャル方向成分の力Ｆ１ｔ”、Ｆ２ｔ”の合力ｆａｔ”がタンジェンシャル方向＋側に発生する。
【００６２】
一方、電流Ｉｂ’が流れるフォーカスコイル６２ｂのフォーカス方向＋側及び−側の端部には、磁場Ｂの下で、夫々、力Ｆ３”、Ｆ４”が発生する。前述と同様に、力Ｆ３”の作用点（磁場Ｂを示す半弧とフォーカスコイル６２ｂのフォーカス方向＋側の端部とが交差する点）は、力Ｆ４”の作用点（磁場Ｂを示す半弧とフォーカスコイル６２ｂのフォーカス方向−側の端部とが交差する点）に比べ、境界線Ｄ−Ｄ’に近づいている（図３Ｃ（ｂ）参照）。
【００６３】
よって、前述と同様の理由から、フォーカスコイル６２ｂには、フォーカス方向成分の力ｆｂｆ”の他に、タンジェンシャル方向の合力ｆｂｔ”（＝Ｆ３ｔ”＋Ｆ４ｔ”）は、力ｆａｔ”と反対方向の−側に発生する（図３Ｃ（ａ）参照）。尚、力Ｆ３”は、図３Ｃ（ｂ）の例示では、境界線Ｄ−Ｄ’上に作用点があるため、そのフォーカス方向成分の力はゼロである。よって、力Ｆ４”のタンジェンシャル方向成分の力Ｆ４ｔ”に比べ、力Ｆ３”のタンジェンシャル方向成分の力Ｆ３ｔ”がより大きな力となっている。また、力Ｆ４”のフォーカス方向の力Ｆ４ｆ”が力ｆｂｆ”に等しくなる。
【００６４】
次に、フォーカスコイル６１ａ、６２ａについても、前述と同様に、夫々、フォーカス方向成分の力ｆｃｆ”、ｆｄｆ”の他に、互いに反対向きのタンジェンシャル方向成分の力ｆｃｔ”、ｆｄｔ”が発生する（図３Ｃ（ａ）参照）。
【００６５】
以上から、電流Ｉａ’、Ｉｂ’の大小関係を先の図３Ｂの説明で述べた電流Ｉａ、Ｉｂの大小関係と同様に設定することによって、フォーカスコイル６１ａ、６２ａ、６１ｂ、６２ｂに夫々発生するタンジェンシャル方向成分の力に関して、その合力を低減、或いは互いに相殺できる。また、ホルダ２には、同ホルダ２をフォーカス方向−側に移動させる駆動力Ｆｆ”が発生する。
【００６６】
尚、図３Ａ、図３Ｂ、及び図３Ｃでは、中立位置にあるホルダ２に保持された対物レンズ３ａ、３ｂの位置を基準として（図３Ａ）、フォーカス制御において、同対物レンズ３ａ、３ｂが光ディスク１００に近づいた位置に保持されたり（図３Ｂ）又は光ディスク１００から遠ざかった位置に保持されたりする（図３Ｃ）場合について述べた。
【００６７】
一方、２つの対物レンズ３ａ、３ｂ夫々と光ディスク１００との間の作動距離（Working Distance）が異なる場合、図３Ａ、図３Ｂ、及び図３Ｃは、これらの作動距離に応じて異なるホルダ２の中立位置を示すものと考えてもよい。尚、ここでの中立位置とは、フォーカス制御における対物レンズ３ａ、３ｂの基準位置である。この場合、図３Ａ、図３Ｂ、及び図３Ｃのうち、何れかの図に示されるホルダ２の位置は一方の対物レンズ３ａの作動距離に対応する中立位置を意味し、他の何れかの図に示されるホルダ２の位置は他方の対物レンズ３ｂの作動距離に対応する中立位置を意味する。一例として、ＣＤやＤＶＤ等である光ディスク１００と対物レンズ３ａとの間の作動距離（図３ＡのＷＤａ又は図３ＣのＷＤｃ）は、ＢＤである光ディスク１００と対物レンズ３ｂとの間の作動距離（図３ＢのＷＤｂ）よりも長く例示されている。
【００６８】
このように、異なる種類の光ディスク１００に応じてホルダ２の中立位置が異なっても、夫々の位置においてホルダ２に発生するタンジェンシャル方向の力がより低減される。
【００６９】
===光ピックアップ装置の構成（第２実施形態）===
図１、図４（ａ）、図４（ｂ）、図４（ｃ）、及び図４（ｄ）を参照しつつ、本実施形態に係る光ピックアップ装置１の構成例について説明する。
【００７０】
図４（ａ）は、図１に示す本実施形態に係る光ピックアップ装置１の可動部１０及び磁石５ａ、５ｂの平面図である。図４（ｂ）は、図４（ａ）に示す可動部１０を同図に示すＡ−Ａ’の矢印方向に見た側面図である。図４（ｃ）は、図４（ａ）に示す可動部１０及び磁石５ａを光ディスク１００のタンジェンシャル方向に見た側面図である。図４（ｄ）は、図４（ａ）に示す可動部１０及び磁石５ａ、５ｂを光ディスク１００のトラッキング方向に見た側面図である。
【００７１】
尚、光ピックアップ装置１において、前述した第１実施形態と、本実施形態（第２実施形態）との相違点は、コイル部６ａ、６ｂの具体的な構成にある。よって、以下、第２実施形態に係る光ピックアップ装置１の構成のうち、第１実施形態に係る光ピックアップ装置１の構成と同一のものには、同一の番号を付してその説明を省略するとともに、第２実施形態に係るコイル部６ａ、６ｂの具体的な構成を中心に説明する。また、第２実施形態に係るコイル部６ａ、６ｂについては、第１実施形態と同様に図１においてその位置のみを図示し（点線で囲んだ部分）、図４においてその具体的な構成を図示している。
【００７２】
コイル部６ａは、図４に例示されるように、フォーカスコイル６１ａ、６３ａ、６６ａ、６７ａ、６８ａ、６９ａと、トラッキングコイル６５ａとからなり、これらのコイルは、タンジェンシャル方向を巻回軸として、延在板２６ａのタンジェンシャル方向−側面に取り付けられている。同様に、コイル部６ｂは、フォーカスコイル６１ｂ、６３ｂ、６６ｂ、６７ｂ、６８ｂ、６９ｂと、トラッキングコイル６５ｂとからなり、これらのコイルは、タンジェンシャル方向を巻回軸として、延在板２６ｂのタンジェンシャル方向＋側面に取り付けられている。
【００７３】
つまり、図４に例示されるコイル部６ａでは、第１実施形態の図２のフォーカスコイル６２ａに代わり、同一の２個のフォーカスコイル６６ａ、６７ａがフォーカス方向に沿って夫々＋側、−側に配置され、第１実施形態の図２のフォーカスコイル６４ａに代わり、同一の２個のフォーカスコイル６８ａ、６９ａがフォーカス方向に沿って夫々＋側、−側に配置されている。同様に、図４に例示されるコイル部６ｂでは、第１実施形態の図２のフォーカスコイル６２ｂに代わり、同一の２個のフォーカスコイル６６ｂ、６７ｂがフォーカス方向に沿って夫々＋側、−側に配置され、第１実施形態の図２のフォーカスコイル６４ｂに代わり、同一の２個のフォーカスコイル６８ｂ、６９ｂが、フォーカス方向に沿って夫々＋側、−側に配置されている。
【００７４】
詳しくは、フォーカスコイル６６ａは、そのフォーカス方向＋側の端部の位置がフォーカスコイル６１ａのフォーカス方向＋側の端部の位置とフォーカス方向において揃うように、フォーカスコイル６１ａのタンジェンシャル方向＋側に配置される。フォーカスコイル６７ａは、そのフォーカス方向−側の端部の位置がフォーカスコイル６１ａのフォーカス方向−側の端部の位置とフォーカス方向において揃うように、フォーカスコイル６１ａのタンジェンシャル方向＋側に配置される。これらのフォーカスコイル６１ａ、６６ａ、６７ａは、磁石５１ａ、５２ａに対応する。
【００７５】
また、フォーカスコイル６８ａは、そのフォーカス方向＋側の端部の位置がフォーカスコイル６３ａのフォーカス方向＋側の端部の位置とフォーカス方向において揃うように、フォーカスコイル６３ａのタンジェンシャル方向＋側に配置される。フォーカスコイル６９ａは、そのフォーカス方向−側の端部の位置がフォーカスコイル６３ａのフォーカス方向−側の端部の位置とフォーカス方向において揃うように、フォーカスコイル６３ａのタンジェンシャル方向＋側に配置される。これらのフォーカスコイル６３ａ、６８ａ、６９ａは、磁石５３ａ、５４ａに対応する。  
つまり、フォーカスコイル６１ａ、６６ａ、６７ａと、フォーカスコイル６３ａ、６８ａ、６９ａとは、夫々、トラッキング方向の中央線Ｂ−Ｂ’に関して線対称に対をなすように配置されている。
【００７６】
図４（ｂ）の例示では、フォーカスコイル６６ａ、６７ａ、６８ａ、６９ａは夫々、その外形が略矩形状をなし、その長手方向がトラッキング方向となるように且つフォーカスコイル６１ａ、６３ａに隣接するように延在板２６ａに取り付けられている。
【００７７】
一方、コイル部６ｂを構成するフォーカスコイル６１ｂ、６３ｂ、６６ｂ、６７ｂ、６８ｂ、６９ｂは、夫々、フォーカスコイル６１ａ、６３ａ、６６ａ、６７ａ、６８ａ、６９ａに対して、中央線Ｃ−Ｃ’に関して線対称となるように配置されている。本実施形態においても、中央線Ｃ−Ｃ’に関して対称な関係にあるコイルの部材番号を、同一の数字をもって表記している。従って、フォーカスコイル６１ｂ、６３ｂ、６６ｂ、６７ｂ、６８ｂ、６９ｂの配置に係る記載は、前述したフォーカスコイル６１ａ、６３ａ、６６ａ、６７ａ、６８ａ、６９ａの配置に係る記載をもって省略する。
【００７８】
===光ピックアップ装置の動作（第２実施形態）===
図５Ａ、図５Ｂ、及び図５Ｃを参照しつつ、本実施形態に係る光ピックアップ装置１の動作例について説明する。  
図５Ａにおいて、（ａ）は、ホルダ２が前述した中立位置からフォーカス方向＋側に移動する場合に、ホルダ２に発生する力を説明するための光ピックアップ装置１の側面図であり、（ｂ）は（ａ）の部分拡大図である。  
図５Ｂにおいて、（ａ）は、中立位置からフォーカス方向＋側に変位した位置にあるホルダ２に発生する力を説明するための光ピックアップ装置１の側面図であり、（ｂ）は（ａ）の部分拡大図である。  
図５Ｃにおいて、（ａ）は、中立位置からフォーカス方向−側に変位した位置にあるホルダ２に発生する力を説明するための光ピックアップ装置１の側面図であり、（ｂ）は（ａ）の部分拡大図である。
【００７９】
尚、図５Ａ、図５Ｂ、及び図５Ｃに図示しないフォーカスコイル６３ａ、６８ａ、６９ａは、夫々、これらとトラッキング方向に対をなすフォーカスコイル６１ａ、６６ａ、６７ａと同様に動作し、同図に図示しないフォーカスコイル６３ｂ、６８ｂ、６９ｂは、夫々、これらとトラッキング方向に対をなすフォーカスコイル６１ｂ、６６ｂ、６７ｂと同様に動作する。従って、フォーカスコイル６３ａ、６８ａ、６９ａ、６３ｂ、６８ｂ、６９ｂの動作に係る記載は省略する。
【００８０】
<<<中立位置>>>
図５Ａに例示されるように、中立位置にあるホルダ２をフォーカス方向＋側に移動させるべく、フォーカスコイル６１ａ、６１ｂに対し互いに反対向きの電流Ｉａを供給する。また、フォーカスコイル６６ａ、６７ａに対し、これらと隣接するフォーカスコイル６１ａに流れる電流Ｉａと同じ向きの電流Ｉｂを供給し、フォーカスコイル６６ｂ、６７ｂに対し、これらと隣接するフォーカスコイル６１ｂに流れる電流Ｉａと同じ向きの電流Ｉｂを供給する。
【００８１】
先ず、フォーカスコイル６１ｂ、６６ｂ、６７ｂについて述べる。  
電流Ｉａが流れるフォーカスコイル６１ｂのフォーカス方向＋側の端部及び−側の端部には、磁場Ｂ（図５Ａ（ｂ）参照）の下で、夫々、力Ｆ１、Ｆ２が発生する。同様に、電流Ｉｂが流れるフォーカスコイル６６ｂのフォーカス方向＋側の端部及び−側の端部には、磁場Ｂの下で、夫々、力Ｆ５、Ｆ３が発生し、電流Ｉｂが流れるフォーカスコイル６７ｂのフォーカス方向＋側の端部及び−側の端部には、磁場Ｂの下で、夫々、力Ｆ４、Ｆ６が発生する。
【００８２】
第１実施形態の図３Ａの説明と同様に、境界線Ｄ−Ｄ’を中心に線対称な作用点での力Ｆ１、Ｆ２夫々のタンジェンシャル方向成分の力Ｆ１ｔ、Ｆ２ｔは、互いに相殺し（図５Ａ（ｂ）参照）、力Ｆ１、Ｆ２夫々のフォーカス方向成分の力Ｆ１ｆ、Ｆ２ｆの合力ｆａｆ（フォーカス方向＋側向き）のみが、フォーカスコイル６１ｂに発生する（図５Ａ（ａ）参照）。
【００８３】
同様に、境界線Ｄ−Ｄ’を中心に夫々作用点が線対称となる、力Ｆ３、Ｆ４及び力Ｆ５、Ｆ６夫々のタンジェンシャル方向成分の力Ｆ３ｔ、Ｆ４ｔ及びＦ５ｔ、Ｆ６ｔは互いに相殺する（図５Ａ（ｂ）参照）。つまり、図５Ａ（ａ）に例示されるように、力Ｆ３、Ｆ４、Ｆ５、Ｆ６夫々のフォーカス方向成分の力Ｆ３ｆ、Ｆ４ｆ、Ｆ５ｆ、Ｆ６ｆの合力ｆｂｆのみがフォーカスコイル６６ｂ、６７ｂに発生する。また、第１実施形態における境界線Ｄ−Ｄ’及び作用点の関係に関する説明と同様の説明から、図５Ａ（ａ）に例示されるように、ｆａｆ及びｆｂｆの合力はフォーカス方向＋側向きである。  
次に、フォーカスコイル６１ａ、６２ａについても、前述と同様に、夫々タンジェンシャル方向成分がゼロであり、ｆｃｆ及びｆｄｆの合力がフォーカス方向＋側向きに発生する（図５Ａ（ａ）参照）。
【００８４】
以上から、ホルダ２をフォーカス方向＋側に移動させる駆動力Ｆｆ（図５Ａ（ａ）中央の太い矢印）が発生する。
【００８５】
<<<フォーカス方向＋側に変位した位置>>>
図５Ｂに例示されるように、中立位置からフォーカス方向＋側に変位した位置にあるホルダ２に対して発生している力について、先ず、フォーカスコイル６１ｂ、６６ｂ、６７ｂを例に挙げて説明する。尚、この位置では、前述した電流Ｉａ、Ｉｂの供給によってホルダ２をフォーカス方向＋側に移動させるように発生する駆動力Ｆｆ’（図５Ｂ（ａ）中央の太い矢印）と、同ホルダ２を中立位置に保持するように発生するサスペンションワイヤ２２の張力のフォーカス方向の成分（不図示）とが釣り合っている。
【００８６】
電流Ｉａが流れるフォーカスコイル６１ｂのフォーカス方向＋側及び−側の端部には、磁場Ｂ（図５Ｂ（ｂ）参照）の下で、夫々、力Ｆ１’、Ｆ２’が発生するが、第１実施形態の図３Ｂの説明で述べた理由と同様の理由から、同フォーカスコイル６１ｂには、フォーカス方向成分の力Ｆ１ｆ’、Ｆ２ｆ’の合力ｆａｆ’（フォーカス方向＋側向き）の他に、タンジェンシャル方向成分の力Ｆ１ｔ’、Ｆ２ｔ’の合力ｆａｔ’（タンジェンシャル方向＋側向き）が発生する（図５Ｂ（ａ）参照）。
【００８７】
一方、電流Ｉｂが流れるフォーカスコイル６６ｂのフォーカス方向＋側及び−側の端部には、磁場Ｂの下で、夫々、力Ｆ５’、Ｆ３’が発生し、電流Ｉｂが流れるフォーカスコイル６７ｂのフォーカス方向＋側及び−側の端部には、磁場Ｂの下で、夫々、力Ｆ４’、Ｆ６’が発生する。
【００８８】
第１実施形態の図３Ｂの説明で述べた理由と同様の理由から、図５Ｂ（ｂ）の例示におけるタンジェンシャル方向成分の力どうしでは、Ｆ３ｔ’よりもこれと反対向きのＦ４ｔ’（Ｆ４’に等しい）が大きい一方、互いに反対向きのＦ５ｔ’及びＦ６ｔ’は略等しい。よって、コイル６６ｂ、６７ｂに発生するタンジェンシャル方向成分の力ｆｂｔ’は、Ｆ４ｔ’と同じ−側を向く。また、図５Ｂ（ｂ）の例示におけるフォーカス方向成分の力どうしでは、互いに反対向きのＦ３ｆ’及びＦ５ｆ’は略等しい一方、Ｆ４ｆ’（ゼロに等しい）よりもＦ６ｆ’が大きい。よって、コイル６６ｂ、６７ｂに発生するフォーカス方向成分の力ｆｂｆ’は、Ｆ６ｆ’と同じ＋側を向く。
【００８９】
次に、フォーカスコイル６１ａ、６２ａについても、前述と同様に、夫々、フォーカス方向成分の力ｆｃｆ’、ｆｄｆ’（何れもフォーカス方向＋側向き）の他に、互いに反対向きのタンジェンシャル方向成分の力ｆｃｔ’（タンジェンシャル方向−側向き）、ｆｄｔ’（タンジェンシャル方向＋側向き）が発生する（図５Ｂ（ａ）参照）。
【００９０】
電流Ｉａ、Ｉｂの大小関係を第１実施形態の図３Ｂの説明で述べた電流Ｉａ、Ｉｂの大小関係と同様に設定することによって、フォーカスコイル６１ａ、６６ａ、６７ａ、６１ｂ、６６ｂ、６７ｂに夫々発生するタンジェンシャル方向成分の力に関して、その合力を低減、或いは互いに相殺できる。
【００９１】
以上から、図５Ｂ（ａ）に例示されるように、ホルダ２には、同ホルダ２をフォーカス方向＋側に移動させる駆動力Ｆｆ’（図５Ｂ（ａ）中央の太い矢印）が発生する。
【００９２】
<<<フォーカス方向−側に変位した位置>>>
図５Ｃに例示されるように、中立位置からフォーカス方向−側に変位した位置にあるホルダ２に対して発生している力について、先ず、フォーカスコイル６１ｂ、６６ｂ、６７ｂを例に挙げて説明する。尚、この位置では、前述した電流Ｉａ、Ｉｂと夫々反対方向の電流Ｉａ’、Ｉｂ’の供給によってホルダ２をフォーカス方向−側に移動させるように発生する駆動力Ｆｆ”（図５Ｃ（ａ）中央の太い矢印）と、同ホルダ２を中立位置に保持するように発生するサスペンションワイヤ２２の張力のフォーカス方向の成分（不図示）とが釣り合っている。
【００９３】
電流Ｉａ’が流れるフォーカスコイル６１ｂのフォーカス方向＋側及び−側の端部には、磁場Ｂ（図５Ｃ（ｂ）参照）の下で、夫々、力Ｆ１”、Ｆ２”が発生するが、第１実施形態の図３Ｃの説明で述べた理由と同様の理由から、同フォーカスコイル６１ｂには、フォーカス方向成分の力Ｆ１ｆ”、Ｆ２ｆ”の合力ｆａｆ”（フォーカス方向−側向き）の他に、タンジェンシャル方向成分の力Ｆ１ｔ”、Ｆ２ｔ”の合力ｆａｔ”（タンジェンシャル方向＋側向き）が発生する（図５Ｃ（ａ）参照）。
【００９４】
一方、電流Ｉｂ’が流れるフォーカスコイル６６ｂのフォーカス方向＋側及び−側の端部には、磁場Ｂの下で、夫々、力Ｆ５”、Ｆ３”が発生し、電流Ｉｂ’が流れるフォーカスコイル６７ｂのフォーカス方向＋側及び−側の端部には、磁場Ｂの下で、夫々、力Ｆ４”、Ｆ６”が発生する。
【００９５】
第１実施形態の図３Ｃの説明で述べた理由と同様の理由から、図５Ｃ（ｂ）の例示におけるタンジェンシャル方向成分の力どうしでは、Ｆ４ｔ”よりもこれと反対向きのＦ３ｔ”（Ｆ３”に等しい）が大きい一方、互いに反対向きのＦ５ｔ”及びＦ６ｔ”は略等しい。よって、コイル６６ｂ、６７ｂに発生するタンジェンシャル方向成分の力ｆｂｔ”は、Ｆ３ｔ”と同じ−側を向く。また、図５Ｃ（ｂ）の例示におけるフォーカス方向成分の力どうしでは、互いに反対向きのＦ４ｆ”及びＦ６ｆ”は略等しい一方、Ｆ３ｆ”（ゼロに等しい）よりもＦ５ｆ”が大きい。よって、コイル６６ｂ、６７ｂに発生するフォーカス方向成分の力ｆｂｆ”は、Ｆ５ｆ”と同じ−側を向く。
【００９６】
次に、フォーカスコイル６１ａ、６２ａについても、前述と同様に、夫々、フォーカス方向成分の力ｆｃｆ”、ｆｄｆ”（何れもフォーカス方向−側向き）の他に、互いに反対向きのタンジェンシャル方向成分の力ｆｃｔ”（タンジェンシャル方向−側向き）、ｆｄｔ”（タンジェンシャル方向＋側向き）が発生する（図５Ｃ（ａ）参照）。
【００９７】
電流Ｉａ’、Ｉｂ’の大小関係を第１実施形態の図３Ｃの説明で述べた電流Ｉａ’、Ｉｂ’の大小関係と同様に設定することによって、フォーカスコイル６１ａ、６６ａ、６７ａ、６１ｂ、６６ｂ、６７ｂに夫々発生するタンジェンシャル方向成分の力に関して、その合力を低減、或いは互いに相殺できる。
【００９８】
以上から、図５Ｃ（ａ）に例示されるように、ホルダ２には、同ホルダ２をフォーカス方向−側に移動させる駆動力Ｆｆ”（図５Ｃ（ａ）中央の太い矢印）が発生する。
【００９９】
===タンジェンシャル方向の力の低減===
本実施形態（第１実施形態、第２実施形態）に係る光ピックアップ装置１は、少なくとも、光ディスク１００のフォーカス方向に異種の二極を有する磁石（例えば磁石５１ａ、５２ａ）と、光ディスク１００の信号記録面に対向する対物レンズ（例えば対物レンズ３ｂ）と、対物レンズ３ｂがフォーカス方向を移動するように対物レンズ３ｂを保持し、磁石５１ａ、５２ａに対して光ディスク１００のタンジェンシャル方向に配置されるホルダ２と、ホルダ２がフォーカス方向を移動するように、磁石５１ａ、５２ａとホルダ２の間に配置される、タンジェンシャル方向を巻回軸とする第１フォーカスコイル（例えばフォーカスコイル６１ａ）と、ホルダ２がフォーカス方向を移動したときの、フォーカスコイル６１ａに発生するタンジェンシャル方向の力（例えば力ｆｃｔ’、ｆｃｔ”）が小さくなるように、磁石５１ａ、５２ａとホルダ２の間でフォーカスコイル６１ａの隣に配置される、タンジェンシャル方向を巻回軸とする第２フォーカスコイル（例えばフォーカスコイル６２ａ又はフォーカスコイル６６ａ、６７ａ）とを備えていればよい。
【０１００】
この光ピックアップ装置１によれば、フォーカス方向に異種の二極の一方から他方へ向かう磁場の下で第１フォーカスコイルに電流を供給してフォーカス方向の力を発生させることによって同方向にホルダ２が移動したとき、この第１フォーカスコイルに更に発生するタンジェンシャル方向の力に対し、前記磁場の下で第２フォーカスコイルに所定方向の電流を供給して前記タンジェンシャル方向と反対向きの力を発生させることができる。これにより、ホルダ２がフォーカス方向を移動するとき、同ホルダ２に対してタンジェンシャル方向の力が発生し難くなる。よって、このようなタンジェンシャル方向の力が原因となってホルダ２がその形状や材質等に固有な共振を起こすことを抑制して、光ピックアップ装置１の記録再生特性の劣化を抑制することができる。
【０１０１】
尚、このような構成の光ピックアップ装置１は、例えば、ホルダ２をフォーカス方向に安定して移動可能に案内するための不図示の案内手段を更に備えていることが好ましい。また、第１実施形態のフォーカスコイル６１ａ、６３ａ、６１ｂ、６３ｂが第１フォーカスコイルに対応し、第１実施形態のフォーカスコイル６２ａ、６４ａ、６２ｂ、６４ｂが第２フォーカスコイルに対応する。更に、第２実施形態のフォーカスコイル６１ａ、６３ａ、６１ｂ、６３ｂが第１フォーカスコイルに対応し、第２実施形態のフォーカスコイル６６ａ、６７ａ、６８ａ、６９ａ、６６ｂ、６７ｂ、６８ｂ、６９ｂが第２フォーカスコイルに対応する。
【０１０２】
また、前述した光ピックアップ装置１において、第２フォーカスコイル（例えばフォーカスコイル６２ａ又はフォーカスコイル６６ａ、６７ａ）は、ホルダ２と第１フォーカスコイル（例えばフォーカスコイル６１ａ）の間に配置されている。  
この光ピックアップ装置１によれば、第２フォーカスコイルは第１フォーカスコイルよりも例えば磁石（例えば５１ａ、５２ａ）の二極を呈する面からタンジェンシャル方向に遠ざかることになる。このフォーカス方向に異種の二極の一方から他方へ向かう磁場の形状から、同二極を呈する面に対しタンジェンシャル方向に近づくよりも遠ざかる方がコイルに発生する力のタンジェンシャル方向成分がより大きくなる。このような配置によって第２フォーカスコイルに発生するタンジェンシャル方向の力がより大きくなると、第１フォーカスコイルに発生するタンジェンシャル方向の反対向きの力がより低減される。これにより、ホルダ２がフォーカス方向を移動するとき、同ホルダ２に対してタンジェンシャル方向の力がより発生し難くなる。
【０１０３】
また、前述した光ピックアップ装置１において、第１及び第２フォーカスコイル（例えば、フォーカスコイル６１ａ及びフォーカスコイル６２ａ、又はフォーカスコイル６１ａ及びフォーカスコイル６６ａ、６７ａ）は夫々、ホルダ２がフォーカス方向の中立位置に存在するときの、タンジェンシャル方向の力が相殺されるように配置されている。  
この光ピックアップ装置１によれば、例えば中立位置を中心としてホルダ２をフォーカス方向に移動する限り、この移動範囲内で第１フォーカスコイルに発生する力のタンジェンシャル方向成分の大きさをより低減できる。これにより、ホルダ２がフォーカス方向を移動するとき、同ホルダ２に対してタンジェンシャル方向の力がより発生し難くなる。
【０１０４】
また、前述した光ピックアップ装置１において、第１及び第２フォーカスコイル（例えば、フォーカスコイル６１ａ及びフォーカスコイル６２ａ、又はフォーカスコイル６１ａ及びフォーカスコイル６６ａ、６７ａ）は夫々、ホルダ２がフォーカス方向の中立位置に存在するとき、フォーカス方向において磁石（例えば磁石５ａ、５ｂ）の二極の境（例えば境界線Ｄ−Ｄ’）を中心に対称となる位置に存在している。  
この光ピックアップ装置１によれば、例えば中立位置を中心としてホルダ２をフォーカス方向に移動する限り、その移動の向きにかかわらず、移動範囲内で第１フォーカスコイルに発生する力のタンジェンシャル方向成分の大きさをより低減できる。これにより、ホルダ２がフォーカス方向を移動するとき、その移動の向きにかかわらず、同ホルダ２に対してタンジェンシャル方向の力がより発生し難くなる。
【０１０５】
また、前述した光ピックアップ装置１において、第２フォーカスコイルは、１個のコイル（第１実施形態のフォーカスコイル６２ａ、６４ａ、６２ｂ、６４ｂ）である。  
この光ピックアップ装置１によれば、光ピックアップ装置１の部品点数を減らすことができるため、製造コストがより低減する。
【０１０６】
また、前述した光ピックアップ装置１において、第２フォーカスコイルは、フォーカス方向に配置される２個のコイル（第２実施形態における、フォーカスコイル６６ａ、６７ａ、フォーカスコイル６８ａ、６９ａ、フォーカスコイル６６ｂ、６７ｂ、フォーカスコイル６８ｂ、６９ｂ）である。  
この光ピックアップ装置１によれば、第２フォーカスコイルを構成する２個のコイル及び第１フォーカスコイルの夫々に所定方向の電流を供給することによって、夫々のコイルに発生する力のタンジェンシャル方向成分を低減しつつ、フォーカス方向成分を同じ向きに揃えることができる。よって、コイルの個数が多い分だけ、例えばより小さな電流の供給によってホルダ２をフォーカス方向へ移動させることができるため、光ピックアップ装置１のフォーカス駆動の感度が向上する。
【０１０７】
また、前述した光ピックアップ装置１において、２個のコイル（第２実施形態における、フォーカスコイル６６ａ、６７ａ、フォーカスコイル６８ａ、６９ａ、フォーカスコイル６６ｂ、６７ｂ、フォーカスコイル６８ｂ、６９ｂ）は、同一のコイルである。  
この光ピックアップ装置１によれば、２個のコイルの形状や性能等がフォーカス方向において対称となるため、例えば中立位置を中心としてホルダ２をフォーカス方向に移動する限り、その移動の向きにかかわらず、移動範囲内で第１フォーカスコイルに発生する力のタンジェンシャル方向成分の大きさをより一層低減できる。
【０１０８】
また、前述した光ピックアップ装置１において、第１及び第２フォーカスコイルは、トラッキング方向に二組（例えば、フォーカスコイル６１ａ、６２ａの組とフォーカスコイル６３ａ、６４ａの組との二組、又はフォーカスコイル６１ａ、６６ａ、６７ａの組とフォーカスコイル６３ａ、６８ａ、６９ａの組との二組）配置されている。  
この光ピックアップ装置１によれば、ホルダ２をフォーカス方向へ移動させるための駆動力をホルダ２のトラッキング方向の両端に発生させることができるため、ホルダ２をフォーカス方向に安定して移動させることができる。
【０１０９】
また、前述した光ピックアップ装置１において、ホルダ２は、対物レンズ（例えば対物レンズ３ｂ）を保持する保持板２５と、保持板２５のタンジェンシャル方向の両端からフォーカス方向へ延在する延在板２６ａ、２６ｂとを有している。  
この光ピックアップ装置１では、ホルダ２は、一対の延在板２６ａ、２６ｂの間隙に何もない分だけ軽量化できる一方、この延在板２６ａ、２６ｂがフォーカスコイルからのタンジェンシャル方向の力によって同方向に変位し易いために共振が励起され易い。しかし、この光ピックアップ装置１によれば、フォーカスコイルからのタンジェンシャル方向の力が低減されるため、ホルダ２の共振が抑制される。従って、前述した軽量化によって、光ピックアップ装置１のフォーカス駆動の感度が向上する。
【０１１０】
また、本実施形態（第１実施形態、第２実施形態）に係る光ピックアップ装置１は、少なくとも、光ディスク１００のフォーカス方向に異種の二極を有し、光ディスク１００のタンジェンシャル方向に配置される第１及び第２磁石（例えば磁石５１ａ、５２ａ及び磁石５１ｂ、５２ｂ）と、光ディスク１００の信号記録面に対向する対物レンズ（例えば対物レンズ３ｂ）と、対物レンズ３ｂがフォーカス方向を移動するように対物レンズ３ｂを保持し、磁石５１ａ、５２ａ及び磁石５１ｂ、５２ｂの間に配置されるホルダ２と、ホルダ２がフォーカス方向を移動するように、磁石５１ａ、５２ａ及びホルダ２の間と磁石５１ｂ、５２ｂ及びホルダ２の間に夫々配置される、タンジェンシャル方向を巻回軸とする第１及び第２フォーカスコイル（例えばフォーカスコイル６１ａ及びフォーカスコイル６１ｂ）と、ホルダ２がフォーカス方向を移動したときの、フォーカスコイル６１ａ及びフォーカスコイル６１ｂに夫々発生するタンジェンシャル方向の力（例えば力ｆｃｔ’、ｆａｔ’）が小さくなるように、磁石５１ａ、５２ａ及びホルダ２の間と磁石５１ｂ、５２ｂ及びホルダ２の間でフォーカスコイル６１ａ及びフォーカスコイル６１ｂの隣に夫々配置される、タンジェンシャル方向を巻回軸とする第３及び第４フォーカスコイル（例えばフォーカスコイル６２ａ及びフォーカスコイル６２ｂ、又はフォーカスコイル６６ａ、６７ａ及びフォーカスコイル６６ｂ、６７ｂ）とを備えていればよい。
【０１１１】
この光ピックアップ装置１によれば、フォーカス方向に異種の二極の一方から他方へ向かう磁場の下で第１及び第２フォーカスコイルに電流を供給してフォーカス方向の力を発生させることによって同方向にホルダ２が移動したとき、この第１及び第２フォーカスコイルに更に発生するタンジェンシャル方向の力に対し、前記磁場の下で第３及び第４フォーカスコイルに所定方向の電流を供給して前記タンジェンシャル方向と反対向きの力を発生させることができる。これにより、ホルダ２がフォーカス方向を移動するとき、同ホルダ２に対してタンジェンシャル方向の力が発生し難くなる。よって、このようなタンジェンシャル方向の力が原因となってホルダ２がその形状や材質等に固有な共振を起こすことを抑制して、光ピックアップ装置１の記録再生特性の劣化を抑制することができる。
【０１１２】
また、この光ピックアップ装置１によれば、ホルダ２をフォーカス方向へ移動させるための駆動力をホルダ２のタンジェンシャル方向の両端に発生させることができるため、ホルダ２をフォーカス方向に安定して移動可能にする。  
尚、磁石５１ａ、５２ａ及び磁石５１ｂ、５２ｂが第１磁石及び第２磁石に夫々対応し、磁石５３ａ、５４ａ及び磁石５３ｂ、５４ｂが第１磁石及び第２磁石に夫々対応する。
【０１１３】
また、磁石５１ａ、５２ａ及び磁石５１ｂ、５２ｂが第１磁石及び第２磁石に夫々対応する場合、第１実施形態のフォーカスコイル６１ａ及びフォーカスコイル６１ｂが第１フォーカスコイル及び第２フォーカスコイルに夫々対応し、第１実施形態のフォーカスコイル６２ａ及びフォーカスコイル６２ｂが第３フォーカスコイル及び第４フォーカスコイルに夫々対応し、第２実施形態のフォーカスコイル６１ａ及びフォーカスコイル６１ｂが第１フォーカスコイル及び第２フォーカスコイルに夫々対応し、第２実施形態のフォーカスコイル６６ａ、６７ａ及びフォーカスコイル６６ｂ、６７ｂが第３フォーカスコイル及び第４フォーカスコイルに夫々対応する。
【０１１４】
更に、磁石５３ａ、５４ａ及び磁石５３ｂ、５４ｂが第１磁石及び第２磁石に夫々対応する場合、第１実施形態のフォーカスコイル６３ａ及びフォーカスコイル６３ｂが第１フォーカスコイル及び第２フォーカスコイルに夫々対応し、第１実施形態のフォーカスコイル６４ａ及びフォーカスコイル６４ｂが第３フォーカスコイル及び第４フォーカスコイルに夫々対応し、第２実施形態のフォーカスコイル６３ａ及びフォーカスコイル６３ｂが第１フォーカスコイル及び第２フォーカスコイルに夫々対応し、第２実施形態のフォーカスコイル６８ａ、６９ａ及びフォーカスコイル６８ｂ、６９ｂが第３フォーカスコイル及び第４フォーカスコイルに夫々対応する。
【０１１５】
前述した光ピックアップ装置１において、第１及び第３フォーカスコイルと第２及び第４フォーカスコイルは夫々、光ディスク１００のトラッキング方向に二組配置されている。尚、第１乃至第４フォーカスコイルは、第１実施形態及び第２実施形態のコイルと前述したように対応付けられる。  
この光ピックアップ装置１によれば、ホルダ２をフォーカス方向へ移動させるための駆動力をホルダ２のトラッキング方向の両端に発生させることができるため、ホルダ２をフォーカス方向に安定して移動させることができる。
【０１１６】
===その他の実施の形態===
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【０１１７】
本実施形態に係る光ピックアップ装置１では、例えば２個の対物レンズ３ａ、３ｂを備えていたが、これに限定されるものではなく、1個又は３個以上の対物レンズを備えていてもよい。
【０１１８】
本実施形態に係る光ピックアップ装置１では、例えばフォーカスコイル６２ａ又はフォーカスコイル６６ａ、６７ａは、ホルダ２とフォーカスコイル６１ａの間に配置されていたが、これに限定されるものではない。例えば、これらのフォーカスコイル６２ａ又はフォーカスコイル６６ａ、６７ａをフォーカスコイル６１ａと磁石５１ａ、５２ａの間に配置しても、ホルダ２に対するタンジェンシャル方向の力を低減できる。尚、これは、フォーカスコイル６３ａ又はフォーカスコイル６８ａ、６９ａと、フォーカスコイル６２ｂ又はフォーカスコイル６６ａ、６７ａと、フォーカスコイル６３ｂ又はフォーカスコイル６８ｂ、６９ｂとについても同様である。或いは、例えば、フォーカスコイル６２ａをフォーカスコイル６１ａとホルダ２との間に配置する一方、フォーカスコイル６２ｂを磁石５１ｂ、５２ｂとフォーカスコイル６１ｂとの間に配置してもよい。
【０１１９】
本実施形態に係る光ピックアップ装置１では、例えばフォーカスコイル６２ａ又はフォーカスコイル６６ａ、６７ａは、フォーカスコイル６１ａと隣接するように配置されていたが、これに限定されるものではない。例えば、これらのフォーカスコイル６２ａ又はフォーカスコイル６６ａ、６７ａと、フォーカスコイル６１ａとは間隙をもって配置されても、ホルダ２に対するタンジェンシャル方向の力を低減できる。尚、これは、フォーカスコイル６３ａ又はフォーカスコイル６８ａ、６９ａと、フォーカスコイル６２ｂ又はフォーカスコイル６６ａ、６７ａと、フォーカスコイル６３ｂ又はフォーカスコイル６８ｂ、６９ｂとについても同様である。
【０１２０】
本実施形態に係る光ピックアップ装置１では、例えば第１ストッパ２１及び第２ストッパ２３ａ、２３ｂを備えていたが、これに限定されるものではなく、要するに、ホルダ２のトラッキング方向及びフォーカス方向の移動量を制限するための手段であれば如何なる手段を備えていてもよい。
【０１２１】
本実施形態に係る光ピックアップ装置１では、例えば磁石５ａ、５ｂは、夫々、磁石５１ａ乃至５４ａ、磁石５１ｂ乃至５４ｂなる個別の永久磁石の組合せによって構成されていた。しかしこれに限定されるものではなく、例えば、磁石５ａ、５ｂは、夫々、これらと外形が略同じ材料の一方の面上に異種の二極を呈するように着磁された多極着磁の磁石であってもよい。
【図面の簡単な説明】
【０１２２】
【図１】第１実施形態及び第２実施形態の光ピックアップ装置及び光ディスクの斜視図である。
【図２】（ａ）は、第１実施形態の光ピックアップ装置の可動部及び磁石の平面図であり、（ｂ）は、（ａ）に示す可動部をＡ−Ａ’の矢印方向に見た側面図であり、（ｃ）は、（ａ）に示す可動部及び磁石を光ディスクのタンジェンシャル方向に見た側面図であり、（ｄ）は、（ａ）に示す可動部及び磁石を光ディスクのトラッキング方向に見た側面図である。
【図３Ａ】（ａ）は、ホルダが中立位置からフォーカス方向＋側に移動する場合に、ホルダに発生する力を説明するための第１実施形態の光ピックアップ装置の側面図であり、（ｂ）は（ａ）の部分拡大図である。
【図３Ｂ】（ａ）は、中立位置からフォーカス方向＋側に変位した位置にあるホルダに発生する力を説明するための第１実施形態の光ピックアップ装置の側面図であり、（ｂ）は（ａ）の部分拡大図である。
【図３Ｃ】（ａ）は、中立位置からフォーカス方向−側に変位した位置にあるホルダに発生する力を説明するための第１実施形態の光ピックアップ装置の側面図であり、（ｂ）は（ａ）の部分拡大図である。
【図４】（ａ）は、第２実施形態の光ピックアップ装置の可動部及び磁石の平面図であり、（ｂ）は、（ａ）に示す可動部をＡ−Ａ’の矢印方向に見た側面図であり、（ｃ）は、（ａ）に示す可動部及び磁石を光ディスクのタンジェンシャル方向に見た側面図であり、（ｄ）は、（ａ）に示す可動部及び磁石を光ディスクのトラッキング方向に見た側面図である。
【図５Ａ】（ａ）は、ホルダが中立位置からフォーカス方向＋側に移動する場合に、ホルダに発生する力を説明するための第２実施形態の光ピックアップ装置の側面図であり、（ｂ）は（ａ）の部分拡大図である。
【図５Ｂ】（ａ）は、中立位置からフォーカス方向＋側に変位した位置にあるホルダに発生する力を説明するための第２実施形態の光ピックアップ装置の側面図であり、（ｂ）は（ａ）の部分拡大図である。
【図５Ｃ】（ａ）は、中立位置からフォーカス方向−側に変位した位置にあるホルダに発生する力を説明するための第２実施形態の光ピックアップ装置の側面図であり、（ｂ）は（ａ）の部分拡大図である。
【図６】（ａ）は、光ピックアップ装置の平面図である。（ｂ）は、（ａ）に示す光ピックアップ装置を光ディスクのトラッキング方向に見た側面図である。
【図７】（ａ）は、中立位置からフォーカス方向＋側に変位した位置にあるホルダに発生する力を説明するための光ピックアップ装置の側面図であり、（ｂ）は、中立位置からフォーカス方向−側に変位した位置にあるホルダに発生する力を説明するための光ピックアップ装置の側面図である。
【符号の説明】
【０１２３】
１  光ピックアップ装置
２  ホルダ
３ａ、３ｂ  対物レンズ
４ａ、４ｂ  背面ヨーク
５ａ、５ｂ  磁石
６ａ、６ｂ  コイル部
７  基台
８  固定板
８ａ  基板
１０  可動部
２１  第１ストッパ
２２  サスペンションワイヤ
２３ａ、２３ｂ  第２ストッパ
２４  端子
２５  保持板
２６ａ、２６ｂ  延在板
５１ａ、５２ａ、５３ａ、５４ａ、５１ｂ、５２ｂ、５３ｂ、５４ｂ  磁石
６１ａ、６２ａ、６３ａ、６４ａ、６６ａ、６７ａ、６８ａ、６９ａ  フォーカスコイル
６１ｂ、６２ｂ、６３ｂ、６４ｂ、６６ｂ、６７ｂ、６８ｂ、６９ｂ  フォーカスコイル
６５ａ、６５ｂ  トラッキングコイル
１００  光ディスク
【図１】
2010135021.tif 000003
【図２】
2010135021.tif 000004
【図３Ａ】
2010135021.tif 000005
【図３Ｂ】
2010135021.tif 000006
【図３Ｃ】
2010135021.tif 000007
【図４】
2010135021.tif 000008
【図５Ａ】
2010135021.tif 000009
【図５Ｂ】
2010135021.tif 000010
【図５Ｃ】
2010135021.tif 000011
【図６】
2010135021.tif 000012
【図７】
2010135021.tif 000013